(57)【要約】  本発明の目的は、フリッカを発生させることなく動画を表示し、なおかつ消費電力を低減する表示装置および駆動方法を提供することにある。  表示装置（１）は、複数の走査信号線（Ｇ）および複数のデータ信号線（Ｓ）を有する表示パネル（２）と、複数の走査信号線（Ｇ）を走査する走査線駆動回路（４）と、各画素に対し、複数のデータ信号線（Ｓ）からデータ信号を供給する信号線駆動回路（６）とを備える。表示装置（１）において、複数の走査信号線（Ｇ）のうちの、ある特定色の表示用の走査信号線（Ｇｂ）の走査回数を、他の色の表示用の走査信号線（Ｇｒ，Ｇｇ）の走査回数よりも少なくする。
2012108361.tif 000002
【特許請求の範囲】
【請求項１】
複数の走査信号線および複数のデータ信号線を有する表示パネルと、
前記複数の走査信号線を順次選択して走査する走査線駆動回路と、
選択された走査信号線上の各画素に対し、前記複数のデータ信号線からデータ信号を供給する信号線駆動回路と
を備え、
全ての前記走査信号線のうちの、ある特定色の表示用の複数の走査信号線のうちの少なくともいずれかである第１の走査信号線の単位時間あたりの走査回数を、他の色の表示用の走査信号線よりも少なくした
ことを特徴とする表示装置。
【請求項２】
前記第１の走査信号線は、
青色の表示用の画素が直線状に並べて設けられた画素行を駆動するための走査信号線である
ことを特徴とする請求項１に記載の表示装置。
【請求項３】
前記第１の走査信号線は、
青色の表示用の画素および赤色の表示用の画素が直線状に並べて設けられた画素行を駆動するための走査信号線である
ことを特徴とする請求項１に記載の表示装置。
【請求項４】
前記他の色の表示用の走査信号線の走査を行い、かつ前記第１の走査信号線の走査を行わないフレーム期間を設けたことにより、前記第１の走査信号線の単位時間あたりの走査回数を、前記他の色の表示用の走査信号線よりも少なくした
ことを特徴とする請求項１から３のいずれか一項に記載の表示装置。
【請求項５】
前記第１の走査信号線に対しては、走査を行わないフレーム期間を除き、所定数のフレーム期間毎に極性反転させながら駆動する
ことを特徴とする請求項４に記載の表示装置。
【請求項６】
前記第１の走査信号線の走査を行わない水平走査期間においては、前記信号線駆動回路の能力を低下させる
ことを特徴とする請求項１から５のいずれか一項に記載の表示装置。
【請求項７】
全ての前記他の色の表示用の走査信号線のうち、ある特定色の表示用の複数の走査信号線のうちの少なくともいずれかである第２の走査信号線の単位時間あたりの走査回数を、さらなる他の色の表示用の走査信号線よりも少なくした
ことを特徴とする請求項１から６のいずれか一項に記載の表示装置。
【請求項８】
前記第１の走査信号線に対しては、２フレーム期間毎に、走査を行わないフレーム期間を設け、前記第２の走査信号線に対しては、３フレーム期間毎に、走査を行わないフレーム期間を設けた
ことを特徴とする請求項７に記載の表示装置。
【請求項９】
前記表示パネルは、
複数の表示領域を有し、
当該表示装置は、
前記複数の表示領域のうちの一部の表示領域において、前記第１の走査信号線の単位時間あたりの走査回数を、前記他の色の表示用の走査信号線よりも少なくした
ことを特徴とする請求項１から８のいずれか一項に記載の表示装置。
【請求項１０】
複数の走査信号線および複数のデータ信号線を有する表示パネルと、前記複数の走査信号線を順次選択して走査する走査線駆動回路と、選択された走査信号線上の各画素に対し、前記複数のデータ信号線からデータ信号を供給する信号線駆動回路とを備えた表示装置の駆動方法であって、
全ての前記走査信号線のうちの、ある特定色の表示用の複数の走査信号線のうちの少なくともいずれかである第１の走査信号線の単位時間あたりの走査回数を、他の色の表示用の走査信号線よりも少なくした
ことを特徴とする駆動方法。
【発明の詳細な説明】
【技術分野】
【０００１】
本発明は、消費電力を低減できる表示装置および駆動方法に関する。
【背景技術】
【０００２】
近年、液晶表示装置に代表される薄型、軽量、および低消費電力の表示装置が盛んに活用されている。こうした表示装置は、例えば携帯電話、スマートフォン、またはラップトップ型パーソナルコンピュータへの搭載が顕著である。また、今後はより薄型の表示装置である電子ペーパーの開発および普及も急速に進むことが期待されている。このような状況の中、現在、各種の表示装置において消費電力を低下させることが共通の課題となっている。【０００３】
特許文献１には、画面を１回走査する走査期間よりも長い非走査期間であって、全走査信号線を非走査状態とする休止期間を設けることによって、低消費電力を実現する表示装置の駆動方法が開示されている。
【先行技術文献】
【特許文献】
【０００４】
【特許文献１】日本国公開特許公報「特開２００１−３１２２５３号公報（公開日：２００１年１１月９日）」
【発明の概要】
【発明が解決しようとする課題】
【０００５】
しかしながら、特許文献１に記載の技術においては、以下のような問題がある。特許文献１の技術においては、走査期間よりも長い非走査期間すなわち休止期間を設けることによって、低消費電力を実現する。すなわち、１垂直期間において、走査期間よりも長い非走査期間を設ける必要があるため、単位時間あたりに画面を書き換える回数が少なくなる。したがって、各画素のリフレッシュレートが低くなる。リフレッシュレートが低くなると、表示パネルの特性によっては、画面上におけるフリッカ（ちらつき）を生じ易くなる。また、リフレッシュレートが低くなることは、１秒間に表示できる画像枚数が減ることと同義であるため、動画を滑らかに表示することができない。例えば、通常はリフレッシュレート＝６０Ｈｚに設定して、１秒間に６０枚の画像を書き換えている。ここで特許文献１に記載の技術を使用して、走査期間を１フレーム、休止期間を２フレームとすると、リフレッシュレートは上記通常の場合の３分の１の２０Ｈｚとなる。つまり１秒間に２０枚の画像しか書き換えられないため、コマ落ちした動画表示となってしまう。このため、特許文献１に記載の技術においては、特に動画を表示することは困難である。【０００６】
本発明は、前記の問題に鑑みてなされたものであり、その目的は、フリッカを発生させることなく動画を表示でき、なおかつ消費電力を低減できる表示装置および駆動方法を提供することにある。
【課題を解決するための手段】
【０００７】
本発明に係る表示装置は、複数の走査信号線および複数のデータ信号線を有する表示パネルと、前記複数の走査信号線を順次選択して走査する走査線駆動回路と、選択された走査信号線上の各画素に対し、前記複数のデータ信号線からデータ信号を供給する信号線駆動回路とを備え、全ての前記走査信号線のうちの、ある特定色の表示用の複数の走査信号線のうちの少なくともいずれかである第１の走査信号線の単位時間あたりの走査回数を、他の色の表示用の走査信号線よりも少なくしたことを特徴とする。【０００８】
この構成によれば、走査線駆動回路の動作回数を減らすことができるので、走査線駆動回路の消費電流を減らすことができる。また、全ての走査信号線の走査回数を少なくしているのではなく、ある特定色の表示用の走査信号線の走査回数を少なくする構成を採用しているので、画面上におけるフリッカ（ちらつき）が生じにくいうえ、動画を滑らかに表示することができる。すなわち、動画の高品位を保持しつつ、消費電力を低減することができるのである。【０００９】
また、本発明に係る駆動方法は、複数の走査信号線および複数のデータ信号線を有する表示パネルと、前記複数の走査信号線を順次選択して走査する走査線駆動回路と、選択された走査信号線上の各画素に対し、前記複数のデータ信号線からデータ信号を供給する信号線駆動回路とを備えた表示装置の駆動方法であって、全ての前記走査信号線のうちの、ある特定色の表示用の複数の走査信号線のうちの少なくともいずれかである第１の走査信号線の単位時間あたりの走査回数を、他の色の表示用の走査信号線よりも少なくしたことを特徴とする。【００１０】
この構成によれば、走査線駆動回路の動作回数を減らすことができるので、走査線駆動回路の消費電流を減らすことができる。また、全ての走査信号線の走査回数を少なくしているのではなく、ある特定色の表示用の走査信号線の走査回数を少なくする構成を採用しているので、画面上におけるフリッカ（ちらつき）が生じにくいうえ、動画を滑らかに表示することができる。すなわち、動画の高品位を保持しつつ、消費電力を低減することができるのである。
【発明の効果】
【００１１】
本発明に係る表示装置およびその駆動方法によれば、フリッカを発生させることなく動画を表示でき、なおかつ消費電力を低減できるという効果を奏する。
【図面の簡単な説明】
【００１２】
【図１】実施形態１に係る表示装置１の全体構成を示す図である。
【図２】従来の表示動作を行う際に用いられる各種信号波形を示す図である。
【図３】実施形態１に係る表示装置１による表示動作を行う際に用いられる各種信号波形を示す図である。
【図４】実施形態１に係る表示装置１による表示動作を行う際に用いられる各種信号波形を示す図である。
【図５】実施形態２に係る表示装置１による表示動作を行う際に用いられる各種信号波形を示す図である。
【図６】実施形態２に係る表示装置１による表示動作を行う際に用いられる各種信号波形を示す図である。
【図７】実施形態２に係る表示装置１による表示動作を行う際に用いられる各種信号波形を示す図である。
【図８】実施形態２に係る表示装置１による表示動作を行う際に用いられる各種信号波形を示す図である。
【図９】実施形態２に係る表示装置１による表示動作を行う際に用いられる各種信号波形を示す図である。
【図１０】実施形態２に係る表示装置１による表示動作を行う際に用いられる各種信号波形を示す図である。
【図１１】表示装置が表示動作を行う際のフレーム期間構成を示す図である。
【図１２】実施形態３に係る表示装置１による表示動作を行う際に用いられる各種信号波形を示す図である。
【図１３】実施形態３に係る表示装置１による表示動作を行う際に用いられる各種信号波形を示す図である。
【図１４】実施形態３に係る表示装置１による表示動作を行う際に用いられる各種信号波形を示す図である。
【図１５】実施形態３に係る表示装置１による表示動作を行う際に用いられる各種信号波形を示す図である。
【図１６】実施形態４に係る表示装置１による表示動作を行う際に用いられる各種信号波形を示す図である。
【図１７】実施形態４に係る表示装置１による表示動作を行う際に用いられる各種信号波形を示す図である。
【図１８】表示装置１が備える表示パネル２の画素表示色の配列を示す図である。
【図１９】実施形態５に係る表示装置１による表示動作を行う際に用いられる各種信号波形を示す図である。
【図２０】実施形態５に係る表示装置１による表示動作を行う際に用いられる各種信号波形を示す図である。
【発明を実施するための形態】
【００１３】
本発明に係る一実施形態について、図面を参照して以下に説明する。
【００１４】
（実施形態１）
まず、本発明の実施形態１について説明する。実施形態１に係る表示装置（液晶表示装置）１の構成について、図１を参照して説明する。図１は、実施形態１に係る表示装置１の全体構成を示す図である。この図に示すように、表示装置１は、表示パネル２、走査線駆動回路（ゲートドライバ）４、信号線駆動回路（ソースドライバ）６、共通電極駆動回路８、タイミングコントローラ１０、および電源生成回路１３を備えている。
【００１５】
表示パネル２は、マトリクス状に配置された複数の画素からなる画面と、前記画面を線順次に選択して走査するためのＮ本（Ｎは任意の整数）の走査信号線Ｇ（ゲートライン）と、選択されたラインに含まれる一行分の画素にデータ信号を供給するＭ本（Ｍは任意の整数）のデータ信号線Ｓ（ソースライン）とを備えている。走査信号線Ｇとデータ信号線Ｓとは互いに直交している。
【００１６】
以降の説明では、ｎ本目（ｎは任意の整数）の走査信号線Ｇを、Ｇ（ｎ）と示す。例えば、Ｇ（１）、Ｇ（２）およびＧ（３）は、それぞれ１本目、２本目および３本目の走査信号線Ｇを示す。また、以降の説明では、ｉ本目（ｉは任意の整数）のデータ信号線Ｓを、Ｓ（ｉ）と示す。例えば、Ｓ（１）、Ｓ（２）およびＳ（３）は、それぞれ１本目、２本目および３本目のデータ信号線Ｓを示す。
【００１７】
各走査信号線Ｇには、ある特定色用の複数の画素が接続されている。例えば、実施形態１では、１本目の走査信号線Ｇ（１）は、横方向に向かって直線状に並べて配置された赤色用の複数の画素を接続する走査信号線（以下、「走査信号線Ｇｒ」と示す。）である。また、２本目の走査信号線Ｇ（２）は、横方向に向かって直線状に並べて配置された緑色用の複数の画素を接続する走査信号線（以下、「走査信号線Ｇｇ」と示す。）である。また、３本目の走査信号線Ｇ（３）は、横方向に向かって直線状に並べて配置された青色用の複数の画素を接続する走査信号線（以下、「走査信号線Ｇｂ」と示す。）である。以降、表示パネル２上には、走査信号線Ｇｒ、走査信号線Ｇｇ、走査信号線Ｇｂの順に繰り返し、複数の走査信号線Ｇが配置されている。すなわち、実施形態１１の表示パネル２は、カラーフィルターの配列方式として、横ストライプ配列を採用している。
【００１８】
走査線駆動回路４は、各走査信号線Ｇを画面の上から下に向かって線順次走査する。走査線駆動回路４は、各走査信号線Ｇに対して、走査信号線Ｇ上の各画素に備えられたスイッチング素子（ＴＦＴ）をオン状態にさせるための電圧を順次出力する。これにより、走査線駆動回路４は、各走査信号線Ｇを順次選択して走査する。
【００１９】
信号線駆動回路６は、選択された走査信号線Ｇ上の各画素に対して、各データ信号線Ｓから、画像データとしてのデータ信号を供給する。具体的に説明すると、信号線駆動回路６は、入力された映像信号（矢印Ａ）に基づいて、選択された走査信号線Ｇ上の各画素に出力すべき電圧の値を算出し、その値の電圧を各データ信号線Ｓに出力する。その結果、選択された走査信号線Ｇ上にある各画素に対して画像データが供給されることとなる。
【００２０】
表示装置１は、画面内の各画素に対して設けられる共通電極（不図示）を備えている。共通電極駆動回路８は、タイミングコントローラ１０から入力される信号（矢印Ｂ）に基づき、共通電極を駆動するための所定の共通電圧を共通電極に出力する。
【００２１】
タイミングコントローラ１０は、各回路が同期して動作するための基準となる信号を各回路に対して出力する。具体的には、タイミングコントローラ１０は、走査線駆動回路４に対して、ゲートスタートパルス信号、ゲートクロック信号ＧＣＫ、およびゲート出力制御信号ＧＯＥを供給する（矢印Ｅ）。また、タイミングコントローラ１０は、信号線駆動回路６に対しては、ソーススタートパルス信号、ソースラッチストローブ信号、およびソースクロック信号を出力する（矢印Ｆ）。
【００２２】
走査線駆動回路４は、タイミングコントローラ１０から受け取ったゲートスタートパルス信号を合図に表示パネル２の走査を開始し、タイミングコントローラ１０から受け取ったゲートクロック信号ＧＣＫおよびゲート出力制御信号ＧＯＥに従って各走査信号線Ｇに対して、順次選択電圧を印加していく。この点について具体的に説明すると、走査線駆動回路４は、受け取ったゲートクロックＧＣＫ信号に従って、各走査信号線Ｇを順次選択する。そして、走査線駆動回路４は、受け取ったゲート出力制御信号ＧＯＥの立ち下りを検出したタイミングで、選択した走査信号線Ｇに対して、選択電圧を印加する。これにより、走査線駆動回路４は、選択した走査信号線Ｇを走査することとなる。
【００２３】
信号線駆動回路６は、タイミングコントローラ１０から受け取ったソーススタートパルス信号を基に、入力された各画素の画像データをソースクロック信号に従ってレジスタに蓄え、次のソースラッチストローブ信号に従って表示パネル２の各データ信号線Ｓに画像データを書き込む。
【００２４】
電源生成回路１３は、表示装置１内の各回路が動作するために必要な電圧であるＶｄｄ、Ｖｄｄ２、Ｖｃｃ、Ｖｇｈ、およびＶｇｌを生成する。そして、Ｖｃｃ、Ｖｇｈ、Ｖｇｌを走査線駆動回路４に出力し、ＶｄｄおよびＶｃｃを信号線駆動回路６に出力し、Ｖｃｃをタイミングコントローラ１０に出力し、Ｖｄｄ２を共通電極駆動回路８に出力する。
【００２５】
（従来の表示動作）
ここで、従来の表示動作について説明する。ここでは、図１で説明した表示装置１に、従来の表示動作を行わせた場合を例に説明する。図２は、従来の表示動作を行う際に用いられる各種信号波形を示す図である。
【００２６】
図２に示すように、タイミングコントローラ１０から走査線駆動回路４へは、１水平走査期間毎に、ゲート出力制御信号ＧＯＥが入力される。
【００２７】
最初の１水平走査期間において、走査線駆動回路４は、ゲート出力制御信号ＧＯＥに同期して、１本目の走査信号線Ｇに印加される電圧を、Ｖｇｌ（Ｌ値）からＶｇｈ（Ｈ値）に変化させる。これにより、走査信号線Ｇ（１）に接続された画素のＴＦＴのゲートがオン状態になる。
【００２８】
一方、最初の１水平走査期間において、信号線駆動回路６は、ゲート出力制御信号ＧＯＥに同期して、データ信号線Ｓごとに、当該データ信号線Ｓ（ｉ）に接続されたアナログアンプ１４からデータ信号を出力する。これにより、表示に必要な電圧が各データ信号線Ｓに供給され、ＴＦＴを通じて画素電極に書き込まれる。
【００２９】
例えば、１本目の走査信号線Ｇ（１）が選択されている場合、信号線駆動回路６は、この走査信号線Ｇ（１）に関する画像データに基づいて、当該走査信号線Ｇ（１）に接続された赤色用の複数の画素の各々の画素電極に対して、表示に必要な電圧を印加する。
【００３０】
最初の１水平走査期間が経過すると、走査線駆動回路４には、次のゲート出力制御信号ＧＯＥが入力される。２本目以降の走査信号線Ｇに接続された１行分の画素は、１本目の走査信号線Ｇに接続された１行分の画素と同様の手順によって駆動される。
【００３１】
ただし、表示装置１は表示パネル２を極性反転駆動するので、所定数の走査信号線が走査される毎に、データ信号線Ｓ（ｉ）に印加される電圧の極性は反転する。実施形態１の表示装置１では、３つ（ＲＧＢ）の走査信号線が走査される毎に、データ信号線Ｓ（ｉ）に印加される電圧の極性を反転させている。例えば、図２に示すように、１〜３本目の走査信号線Ｇ（１）〜Ｇ（３）を走査する水平走査期間には、正極のデータ信号をデータ信号線Ｓ（ｉ）に印加し、４〜６本目の走査信号線Ｇ（４）〜Ｇ（６）を走査する水平走査期間には、負極のデータ信号をデータ信号線Ｓ（ｉ）に印加するといった具合である。
【００３２】
表示装置１は、以上を繰り返して、１フレーム期間（１垂直走査期間）の間に、先頭行から最終行までを順次走査することで、画面の１回の書き換えを行うのである。表示装置１においては、リフレッシュレートが６０Ｈｚとなっているから、１秒間に画面を６０回書き換えることとなる。
【００３３】
（表示装置１による表示動作）
ここで、実施形態１に係る表示装置１による表示動作について説明する。図３および図４は、実施形態１に係る表示装置１による表示動作を行う際に用いられる各種信号波形を示す図である。このうち、図４は、偶数フレーム期間における各種信号波形を示す図である。一方、図５は、奇数フレーム期間における各種信号波形を示す図である。
【００３４】
（走査回数の軽減）
実施形態１の表示装置１は、特定の色の走査信号線については、他の色の走査信号線よりも走査回数を少なくする点で、図２で説明した表示動作と異なる。例えば、実施形態１では、走査信号線Ｇｂについては、走査信号線Ｇｒおよび走査信号線Ｇｇよりも、走査回数を少なくしている。
【００３５】
具体的には、図３に示すように、偶数フレーム期間においては、走査線駆動回路４は、走査信号線Ｇｒ、走査信号線Ｇｇ、および走査信号線Ｇｂのいずれに対しても走査を行う。一方、図４に示すように、奇数フレーム期間においては、走査線駆動回路４は、走査信号線Ｇｒおよび走査信号線Ｇｇに対しては偶数フレームと同様に走査を行うが、走査信号線Ｇｂに対しては走査を行わない。すなわち、走査信号線Ｇｂに対しては走査を行わない水平走査期間（以下、「非走査期間」と示す。）を設けている。これにより、実施形態１の表示装置１は、走査信号線Ｇｂの走査回数を、走査信号線Ｇｒおよび走査信号線Ｇｇの走査回数の１／２としているのである。実施形態１の表示装置１は、走査信号線Ｇｒおよび走査信号線Ｇｇのリフレッシュレートを６０Ｈｚとしているので、走査信号線Ｇｂのリフレッシュレートは３０Ｈｚとなる。
【００３６】
既に説明したとおり、走査線駆動回路４は、タイミングコントローラ１０からのゲートクロック信号ＧＣＫが入力されると、次の走査信号線に選択をシフトする。そして、タイミングコントローラ１０からのゲート出力制御信号ＧＯＥが入力されると、選択された走査信号線の走査を開始する。具体的には、走査線駆動回路４は、ゲート出力制御信号ＧＯＥの立ち下りを検出すると、次の走査信号線の走査を開始する。
【００３７】
すなわち、特定の走査信号線（実施形態１では、走査信号線Ｇｂ）を走査させないためには、その走査信号線が選択されている間は、ゲート出力制御信号ＧＯＥをＨｉｇｈレベルに固定したまま、タイミングコントローラ１０から走査線駆動回路４へ入力すればよいのである。
【００３８】
そこで、実施形態１の表示装置１は、非走査期間においては、立ち下がりが生じないゲート出力制御信号ＧＯＥを、タイミングコントローラ１０から走査線駆動回路４へ入力する。これにより、実施形態１の表示装置１は、非走査期間においては走査信号線Ｇｂを走査しないように、走査線駆動回路４を制御しているのである。
【００３９】
（信号線駆動回路６の低能力化）
ここで、上記したとおり、実施形態１の表示装置１は、非走査期間においては、走査信号線Ｇｂに対しては走査を行わない。したがって、非走査期間においては、信号線駆動回路６を動作させる必要はない。そこで、実施形態１の表示装置１は、当該表示装置１の消費電力をより軽減すべく、非走査期間においては、信号線駆動回路６を停止または低能力化する。
【００４０】
例えば、信号線駆動回路６は、データ信号線Ｓごとに、データ信号線Ｓに電圧を印加するためのアナログアンプを備える。したがって、例えば表示装置１の解像度が１３６６×７６８の場合、信号線駆動回路６は、１３６６個のアナログアンプを備えることとなる。
【００４１】
実施形態１の表示装置１は、非走査期間においては、走査信号線Ｇｂの操作を行わないとともに、これら複数のアナログアンプを非動作状態とする。
【００４２】
各アナログアンプは、タイミングコントローラ１０から供給される制御信号のＨ値／Ｌ値が切り替えられることによって、動作状態／非動作状態が切り替えられる。したがって、表示装置１は、タイミングコントローラ１０から各アナログアンプに供給される制御信号を、Ｈ値からＬ値に変化させることにより、各アナログアンプを低能力化（非動作状態）とすることができる。
【００４３】
なお、実施形態１の表示装置１では、１フレーム期間（１垂直走査期間）毎にも、データ信号線Ｓ（ｉ）に印加される電圧の極性を反転させている。例えば、図３に示すように、偶数フレーム期間では、１〜３本目の走査信号線Ｇ（１）〜Ｇ（３）を走査する水平走査期間には、正極のデータ信号をデータ信号線Ｓ（ｉ）に印加する。また、図４に示すように、奇数フレーム期間では、１〜３本目の走査信号線Ｇ（１）〜Ｇ（３）を走査する水平走査期間には、負極のデータ信号をデータ信号線Ｓ（ｉ）に印加するといった具合である。
【００４４】
（消費電力の軽減効果）
ここで、実施形態１の表示装置１による消費電力の軽減効果について説明する。ここでは、一例として、表示装置１の解像度が１３６６×７６８である場合について説明する。
【００４５】
まず、図２で説明したように、表示装置１に従来の表示動作を行わせた場合の消費電力について説明する。
【００４６】
表示装置１は、データ信号線Ｓ毎にアナログアンプを設けているから、信号線駆動回路６に１３６６個のアナログアンプを備えることとなる。各アナログアンプは、データ信号線にデータ信号を出力する素子である。ここで、各アナログアンプの自己消費電流は５μＡ程度である。したがって、１３６６個のアナログアンプの自己消費電流の総計は約６．８ｍＡとなる。信号線駆動回路６に供給される電圧源（Ｖｄｄ）は通常１３Ｖ程度である。このため、信号線駆動回路６は、１３Ｖ×６．８ｍＡ＝約８８ｍＷの電力を消費する。
【００４７】
また、表示装置１は、走査信号線Ｇ毎にもアナログアンプを設けているから、走査線駆動回路４に７６８個のアナログアンプを備えることとなる。各アナログアンプは、走査信号線に対してスイッチング素子用の制御電圧を出力する素子である。ここで、各アナログアンプの消費電流は０．４μＡ程度である。したがって、７６８個のアナログアンプの消費電流の総計は約０．３ｍＡとなる。走査線駆動回路４に供給される電圧源（Ｖｇｈ）は通常１５Ｖ程度である。また、走査線駆動回路４に供給される電圧源（Ｖｇｌ）は通常−１２Ｖ程度である。すなわち、走査線駆動回路４に供給される電圧源の振幅（Ｖｇｈ−Ｖｇｌ）は２７Ｖ程度である。このため、走査線駆動回路４は、２７Ｖ×０．３ｍＡ＝約８．１ｍＷの電力を消費する。
【００４８】
これら信号線駆動回路６および走査線駆動回路４の消費電力は、表示装置１全体の消費電力に対して相当量を占めており、表示装置１の低消費電力化を妨げる１つの大きな原因となっている。
【００４９】
次に、図４および図５で説明したように、表示装置１に本発明の実施形態１に係る表示動作を行わせた場合の消費電力について説明する。
【００５０】
既に説明したとおり、実施形態１の表示装置１は、全フレーム期間の１／２を占める奇数フレーム期間のうち、全水平走査期間の１／３を占める非走査期間においては、走査線駆動回路４および信号線駆動回路６を非動作状態としている。
【００５１】
このため、信号線駆動回路６の消費電力は、８８ｍＷ×１／３×１／２＝約１４．７ｍＷ軽減される。すなわち、信号線駆動回路６の消費電力は、８８ｍＷ−１４．７ｍＷ＝７３．３ｍＷとなる。これにより、実施形態１の表示装置１は、信号線駆動回路６の消費電力として、約１６．７％の消費電力の軽減効果をもたらすことになる。
【００５２】
同様に、走査線駆動回路４の消費電力は、８．１ｍＷ×１／３×１／２＝約１．４ｍＷ軽減される。すなわち、走査線駆動回路４の消費電力は、８．１ｍＷ−１．４ｍＷ＝６．７ｍＷとなる。これにより、実施形態１の表示装置１は、走査線駆動回路４の消費電力として、約１６．７％の消費電力の軽減効果をもたらすことになる。
【００５３】
（作用効果）
以上のように、実施形態１の表示装置１は、複数の走査信号線Ｇのうちの、ある特定色の表示用の走査信号線の走査回数を、他の色の表示用の走査信号線よりも少なくする構成を採用している。これにより、実施形態１の表示装置１は、上記構成を採用しない従来の表示装置に比べ、上記したように、消費電力を低減することができる。
【００５４】
なお、実施形態１の表示装置１は、全ての走査信号線の走査回数を少なくしているのではなく、ある特定色の表示用の走査信号線の走査回数を少なくする構成を採用している。これにより、実施形態１の表示装置１は、全ての走査信号線の走査回数を少なくする構成を採用した従来の表示装置に比べ、画面上におけるフリッカ（ちらつき）が生じにくいうえ、動画を滑らかに表示することができる。すなわち、実施形態１の表示装置１は、動画の高品位を保持しつつ、消費電力を低減することができるのである。
【００５５】
特に、実施形態１の表示装置１は、赤色（Ｒ）、緑色（Ｇ）、青色（Ｂ）のうちの輝度比率がより少ない青色の表示用の走査信号線Ｇｂの走査回数を少なくする構成を採用している。これにより、実施形態１の表示装置１は、青色以外の色の表示用の走査信号線の走査回数を少なくする構成を採用した表示装置に比べ、輝度変化が少ないため、画面上におけるフリッカ（ちらつき）が生じにくい。また、走査回数を少なくしたことによって動画に生じるぎこちない動作を、視聴者に感じさせにくくすることができる。すなわち、実施形態１の表示装置１は、動画の高品位を保持しつつ、消費電力を低減することができるのである。
【００５６】
さらに、実施形態１の表示装置１は、走査信号線Ｇｂの走査を行わない水平走査期間においては、信号線駆動回路６の能力を低下させることとした。これにより、実施形態１の表示装置１は、上記構成を採用しない表示装置に比べ、消費電力を低減することができる。なお、上記水平走査期間というのは、画面の書き換えを行わない期間であるから、この構成を採用した場合であっても、動画の品位への影響はない。
【００５７】
さらに、実施形態１の表示装置１は、走査信号線Ｇｂの走査を行わないフレーム期間を設けたことにより、走査信号線Ｇｂの走査回数を、走査信号線Ｇｒおよび走査信号線Ｇｇよりも少なくした。すなわち、上記フレーム期間における走査信号線Ｇｂの走査を間引くことにより、走査信号線Ｇｂの走査回数を少なくすることとした。これにより、走査信号線Ｇｂを走査するための制御信号（実施形態１では、ゲート出力制御信号ＧＯＥ）の波形を、走査信号線Ｇｒおよび走査信号線Ｇｇを走査するための制御信号と異ならせるだけ、といった簡易な構成で、走査信号線Ｇｂの走査回数を少なくする構成を実現することができる。例えば、走査信号線Ｇｂの１フレーム期間を走査信号線Ｇｒおよび走査信号線Ｇｇの１フレーム期間と異ならせる、等の他の構成を採用するよりも、低コストで、走査信号線Ｇｂの走査回数を少なくする構成を実現することができる。
【００５８】
（実施形態２）
次に、本発明の実施形態２について説明する。実施形態１では、走査信号線Ｇｒおよび走査信号線Ｇｇの走査回数よりも、走査信号線Ｇｂの走査回数を少なくすることとした。具体的には、実施形態１では、走査信号線Ｇｒおよび走査信号線Ｇｇの走査回数を６０回とし、走査信号線Ｇｂの走査回数を３０回とした。
【００５９】
この実施形態２では、さらに、走査信号線Ｇｒの走査回数を、走査信号線Ｇｇの走査回数よりも少なくする。具体的には、この実施形態２では、走査信号線Ｇｇの走査回数を６０回とし、走査信号線Ｇｒの走査回数を４０回とし、走査信号線Ｇｂの走査回数を３０回とする。
【００６０】
なお、実施形態２の表示装置１の構成は、実施形態１の表示装置１の構成と同様であるため、説明を省略する。ただし、実施形態２の表示装置１による表示動作は、実施形態１の表示装置１による表示動作と異なる点がある。このため、以降では、実施形態２の表示装置１による表示動作のうち、実施形態１の表示装置１による表示動作と異なる点について説明する。
【００６１】
（表示装置１による表示動作）
図５〜図１０は、実施形態２に係る表示装置１による表示動作を行う際に用いられる各種信号波形を示す図である。このうち、図５は、１番目のフレーム期間における各種信号波形を示す図である。また、図６は、２番目のフレーム期間における各種信号波形を示す図である。また、図７は、３番目のフレーム期間における各種信号波形を示す図である。また、図８は、４番目のフレーム期間における各種信号波形を示す図である。また、図９は、５番目のフレーム期間における各種信号波形を示す図である。また、図１０は、６番目のフレーム期間における各種信号波形を示す図である。
【００６２】
（走査回数の軽減）
実施形態２の表示装置１は、実施形態１では走査回数を減らさなかった他の色の走査信号線のうち、特定の色の走査信号線については、さらなる他の色の走査信号線よりも走査回数を少なくする点で、実施形態１の表示装置１と異なる。例えば、実施形態１では、走査信号線Ｇｂについては、走査信号線Ｇｒおよび走査信号線Ｇｇよりも、走査回数を少なくしていた。さらに、実施形態２では、走査信号線Ｇｒについては、走査信号線Ｇｇよりも、走査回数を少なくしている。
【００６３】
具体的には、図５，９に示すように、１，５番目のフレーム期間（すなわち、２の倍数とも、３の倍数ともならないフレーム期間）においては、走査線駆動回路４は、走査信号線Ｇｒ、走査信号線Ｇｇ、および走査信号線Ｇｂのいずれに対しても走査を行う。
【００６４】
一方、図６，８，１０に示すように、２，４，６番目のフレーム期間（すなわち、２の倍数となるフレーム期間）においては、走査信号線Ｇｂに対しては走査を行わない。すなわち、走査信号線Ｇｂに対しては走査を行わない非走査期間を設けている。以降、２フレーム期間毎に、２，４，６番目のフレーム期間と同様に、走査信号線Ｇｂに対しての非走査期間を設けている。
【００６５】
さらに、７，１０に示すように、３，６番目のフレーム期間（すなわち、３の倍数となるフレーム期間）においては、走査信号線Ｇｒに対しては走査を行わない。すなわち、走査信号線Ｇｒに対しては走査を行わない非走査期間を設けている。以降、３フレーム期間毎に、３，６番目のフレーム期間と同様に、走査信号線Ｇｒに対しての非走査期間を設けている。
【００６６】
これにより、実施形態２の表示装置１は、走査信号線Ｇｂの走査回数を、走査信号線Ｇｇの走査回数の１／２としているのである。また、走査信号線Ｇｒの走査回数を、走査信号線Ｇｇの走査回数の２／３としているのである。実施形態２の表示装置１は、走査信号線Ｇｇのリフレッシュレートを６０Ｈｚとしているので、走査信号線Ｇｒのリフレッシュレートは４０Ｈｚとなる。また、走査信号線Ｇｂのリフレッシュレートは３０Ｈｚとなる。
【００６７】
上記各非走査期間において、ゲート出力制御信号ＧＯＥをＨｉｇｈレベルに固定したまま、タイミングコントローラ１０から走査線駆動回路４へ入力することにより、走査線駆動回路４が走査を行わないように制御している点は、実施形態１の表示装置１と同様である。また、上記各非走査期間において、信号線駆動回路６を停止または低能力化する点も、実施形態１の表示装置１と同様である。
【００６８】
（消費電力の軽減効果）
ここで、実施形態２の表示装置１による消費電力の軽減効果について説明する。ここでは、実施形態１と同様に、表示装置１の解像度が１３６６×７６８である場合について説明する。
【００６９】
まず、図２で説明したように、表示装置１に従来の表示動作を行わせた場合の消費電力について説明する。この場合、実施形態１で説明したとおり、信号線駆動回路６の消費電力は、約８８ｍＷであり、走査線駆動回路４の消費電力は、約８．１ｍＷである。
【００７０】
次に、図５〜１０で説明したように、表示装置１に本発明の実施形態２に係る表示動作を行わせた場合の消費電力について説明する。
【００７１】
既に説明したとおり、実施形態２の表示装置１は、全フレーム期間の１／２のフレーム期間のうち、全水平走査期間の１／３を占める、走査信号線Ｇｂの非走査期間においては、走査線駆動回路４および信号線駆動回路６を非動作状態としている。
【００７２】
このため、信号線駆動回路６の消費電力は、８８ｍＷ×１／３×１／２＝約１４．７ｍＷ軽減される。すなわち、信号線駆動回路６の消費電力は、８８ｍＷ−１４．７ｍＷ＝７３．３ｍＷとなる。
【００７３】
同様に、走査線駆動回路４の消費電力は、８．１ｍＷ×１／３×１／２＝約１．４ｍＷ軽減される。すなわち、走査線駆動回路４の消費電力は、８．１ｍＷ−１．４ｍＷ＝６．７ｍＷとなる。
【００７４】
上記に加え、実施形態２の表示装置１は、全フレーム期間の１／３のフレーム期間のうち、全水平走査期間の１／３を占める、走査信号線Ｇｒの非走査期間においても、走査線駆動回路４および信号線駆動回路６を非動作状態としている。
【００７５】
このため、信号線駆動回路６の消費電力は、８８ｍＷ×１／３×１／３＝約９．８ｍＷさらに軽減される。すなわち、信号線駆動回路６の消費電力は、７３．３ｍＷ−９．８ｍＷ＝６３．５ｍＷとなる。これにより、実施形態の表示装置１は、信号線駆動回路６の消費電力として、約２８％の消費電力の軽減効果をもたらすことになる。
【００７６】
同様に、走査線駆動回路４の消費電力は、８．１ｍＷ×１／３×１／３＝０．９ｍＷさらに軽減される。すなわち、走査線駆動回路４の消費電力は、６．７ｍＷ−０．９ｍＷ＝５．８ｍＷとなる。これにより、実施形態の表示装置１は、走査線駆動回路４の消費電力として、約２８％の消費電力の軽減効果をもたらすことになる。
【００７７】
（作用効果）
以上のように、実施形態２の表示装置１は、複数の走査信号線Ｇのうちの、ある特定色の表示用の走査信号線の走査回数を、他の色の表示用の走査信号線よりも少なくするとともに、他の色の表示用の走査信号線のうちの、ある特定色の表示用の走査信号線の走査回数を、さらなる他の色の表示用の走査信号線よりも少なくする構成を採用している。これにより、実施形態の表示装置１は、上記構成を採用しない従来の表示装置に比べ、上記したように、より多くの消費電力を低減することができる。
【００７８】
なお、実施形態２の表示装置１は、複数色の走査信号線の走査回数を少なくする構成を採用している。このため、実施形態１の表示装置１に比べて、画面上におけるフリッカ（ちらつき）の生じにくさという点では、多少劣る。しかしながら、全ての走査信号線の走査回数を少なくする構成を採用した従来の表示装置に比べると、画面上におけるフリッカ（ちらつき）が生じにくいうえ、動画を滑らかに表示することができる。すなわち、実施形態２の表示装置１は、動画の高品位を保持しつつ、消費電力を低減することができるのである。
【００７９】
特に、実施形態２の表示装置１は、赤色（Ｒ）、緑色（Ｇ）、青色（Ｂ）のうちの輝度比率がより少ない青色の表示用の走査信号線Ｇｂの走査回数、および赤色の表示用の走査信号線Ｇｒの走査回数を少なくする構成を採用している。これにより、実施形態の表示装置１は、走査信号線Ｇｂおよび走査信号線Ｇｒ以外の走査信号線の走査回数を少なくする構成を採用した表示装置に比べ、輝度変化が少ないため、画面上におけるフリッカ（ちらつき）が生じにくい。また、走査回数を少なくしたことによって動画に生じるぎこちない動作を、視聴者に感じさせにくくすることができる。すなわち、実施形態の表示装置１は、動画の高品位を保持しつつ、消費電力を低減することができるのである。
【００８０】
さらに、実施形態の表示装置１は、走査信号線Ｇｂの走査を行わない水平走査期間、および走査信号線Ｇｒの走査を行わない水平走査期間の双方において、信号線駆動回路６の能力を低下させることとした。これにより、実施形態の表示装置１は、上記構成を採用しない表示装置に比べ、より多くの消費電力を低減することができる。なお、上記各水平走査期間というのは、画面の書き換えを行わない期間であるから、この構成を採用した場合であっても、動画の品位への影響はない。
【００８１】
さらに、実施形態２の表示装置１は、走査信号線Ｇｂの走査を行わないフレーム期間を設けたことにより、走査信号線Ｇｂの走査回数を、走査信号線Ｇｇおよび走査信号線Ｇｒよりも少なくした。すなわち、上記フレーム期間における走査信号線Ｇｂの走査を間引くことにより、走査信号線Ｇｂの走査回数を少なくすることとした。
【００８２】
また、走査信号線Ｇｒの走査を行わないフレーム期間を設けたことにより、走査信号線Ｇｒの走査回数を、走査信号線Ｇｇよりも少なくした。すなわち、上記フレーム期間における走査信号線Ｇｒの走査を間引くことにより、走査信号線Ｇｒの走査回数を少なくすることとした。
【００８３】
これにより、走査信号線Ｇｂを走査するための制御信号（実施形態では、ゲート出力制御信号ＧＯＥ）、および走査信号線Ｇｒを走査するための制御信号の波形を、走査信号線Ｇｇを走査するための制御信号と異ならせるだけ、といった簡易な構成で、走査信号線Ｇｂおよび走査信号線Ｇｒの走査回数を少なくする構成を実現することができる。例えば、走査信号線Ｇｂの１フレーム期間および走査信号線Ｇｒの１フレーム期間を、走査信号線Ｇｇの１フレーム期間と異ならせる、等の他の構成を採用するよりも、低コストで、走査信号線Ｇｂおよび走査信号線Ｇｒの走査回数を少なくする構成を実現することができる。
【００８４】
この点について図１１を参照して具体的に説明する。図１１は、表示装置が表示動作を行う際のフレーム期間構成を示す図である。なお、図１１において、黒丸が付与されているフレーム期間は、走査信号線の走査を行うフレーム期間である。一方、白丸が付与されているフレーム期間は、走査信号線の走査を行わないフレーム期間である。
【００８５】
ここで、図１１（ａ）は、実施形態３の表示装置１で採用している、走査信号線Ｇｇのフレーム期間構成を示す図である。図１１（ａ）に示すように、実施形態２の表示装置１では、走査信号線Ｇｇのリフレッシュレートを６０Ｈｚとしている。したがって、走査信号線Ｇｇの１フレーム期間は、１６ｍｓとなっている。
【００８６】
また、図１１（ｂ）は、実施形態３の表示装置１で採用している、走査信号線Ｇｒのフレーム期間構成を示す図である。図１１（ｂ）に示すように、実施形態２の表示装置１では、走査信号線Ｇｒのリフレッシュレートを４０Ｈｚとしている。しかしながら、図１１（ｂ）の走査信号線Ｇｒの１フレーム期間は、走査信号線Ｇｇの１フレーム期間と同様に、１６ｍｓとなっている。これは、走査信号線Ｇｇのフレーム数の１／３を、走査信号線Ｇｒの走査を行わないフレーム期間として間引いたことにより、図１１（ｂ）の走査信号線Ｇｇのリフレッシュレートを４０Ｈｚとしているからである。
【００８７】
一方、図１１（ｃ）は、実施形態３の表示装置１で採用していない、走査信号線Ｇｒのフレーム期間構成を示す図である。図１１（ｃ）に示す例では、図１１（ｂ）と同様に、走査信号線Ｇｒのリフレッシュレートを４０Ｈｚとしている。しかしながら、図１１（ｃ）の走査信号線Ｇｒの１フレーム期間は、走査信号線Ｇｇの１フレーム期間と異なり、２５ｍｓとなっている。これは、走査信号線Ｇｒの走査を行わないフレームを設けずに、１フレーム期間を走査信号線Ｇｇとは異ならせることで、図１１（ｃ）の走査信号線Ｇｇのリフレッシュレートを４０Ｈｚとしているからである。
【００８８】
この図１１（ｃ）の例のように、基準となる走査信号線Ｇｇの１フレーム期間を異ならせて、走査信号線Ｇｂのリフレッシュレートを設定する構成を採用した場合、図１１のタイミングＴ３が示すように、走査信号線Ｇｇと走査信号線Ｇｂとで、各フレーム期間の開始タイミング、終了タイミング、書き込みタイミング等、各タイミングが異なってしまうため、これら複数の走査信号線の制御を行うための回路構成が非常に複雑なものとなってしまう。
【００８９】
一方、実施形態３の表示装置１で採用している、図１１（ｂ）の例のように、基準となる走査信号線Ｇｇの１フレーム期間を変えずに、走査信号線Ｇｂのリフレッシュレートを設定する構成を採用した場合、図１１のタイミングＴ１，Ｔ２が示すように、走査信号線Ｇｇと走査信号線Ｇｂとで、各フレーム期間の開始タイミング、終了タイミング、書き込みタイミング等、各タイミングが常に一致するため、これら複数の走査信号線の制御を行うための回路構成を簡易なものにすることができる。
【００９０】
なお、コスト等を考慮しないのであれば、図１１（ｃ）の例のように、基準となる走査信号線Ｇｇの１フレーム期間を異ならせて、走査信号線Ｇｂのリフレッシュレートを設定する構成を採用しても良い。このような構成を採用した場合でも、消費電力を削減する効果を奏する点で変わりは無い。
【００９１】
（実施形態３）
次に、本発明の実施形態３について説明する。実施形態１では、表示装置１は、１フレーム期間毎に、各データ信号線Ｓに印加される電圧の極性を反転させていると説明した。この場合、ある走査信号線Ｇに対して２フレーム期間ごとに非走査期間が設けられていると、この走査信号線Ｇ上の各画素電極に印加される電圧の極性は常に一定となってしまう。
【００９２】
具体的に説明すると、実施形態１の表示装置１では、奇数フレーム期間においては、走査信号線Ｇｂに対して、非走査期間を設けることとした。すなわち、走査信号線Ｇｂに対しては、２フレーム期間ごとに非走査期間が設けられているということである。
【００９３】
ここで、３本目の走査信号線Ｇ（３）に着目すると、図３に示すとおり、偶数フレーム期間においては、走査信号線Ｇ（３）上の各画素電極には、正極の電圧が印加される。一方、図４に示すとおり、奇数フレーム期間においては、走査信号線Ｇ（３）は走査されないから、走査信号線Ｇ（３）上の各画素電極には、電圧が印加されない。
【００９４】
以降、偶数フレーム期間および奇数フレーム期間が繰り返されるわけだから、走査信号線Ｇ（３）上の各画素電極には、正極の電圧の印加された状態と、電圧が印加されない状態とを繰り返すこととなる。すなわち、走査信号線Ｇ（３）上の各画素電極に印加される電圧は、常に正極の電圧になってしまう。
【００９５】
これは、走査信号線Ｇｂに対して２フレーム期間ごとに非走査期間を設けたからであり、非走査期間を設けていない、走査信号線Ｇｒおよび走査信号線Ｇｇについては、このような問題は生じない。
【００９６】
このように、走査信号線Ｇ上の各画素電極に印加される電圧が、常に一定の電圧になってしまうと、焼き付き等の不具合が発生してしまう。
【００９７】
そこで、実施形態３の表示装置１は、２フレーム期間ごとに非走査期間が設けられた走査信号線Ｇについては、非走査期間が設けられたフレーム期間を除き、所定数のフレーム期間毎に極性反転させながら駆動するようにした。具体的には、２フレーム期間ごとに非走査期間が設けられた走査信号線Ｇｂについては、非走査期間が設けられた奇数フレーム期間を除き、１フレーム期間毎に極性反転させながら駆動するようにした。
【００９８】
以下、図１１〜１４を用いて、実施形態３の表示装置１による表示動作について説明する。なお、実施形態３の表示装置１の構成は、実施形態１の表示装置１の構成と同様であるため、説明を省略する。ただし、実施形態３の表示装置１による表示動作は、実施形態１の表示装置１による表示動作と異なる点がある。このため、以降では、実施形態３の表示装置１による表示動作のうち、実施形態１の表示装置１による表示動作と異なる点について説明する。
【００９９】
（表示装置１による表示動作）
図１２〜１５は、実施形態３に係る表示装置１による表示動作を行う際に用いられる各種信号波形を示す図である。このうち、図１２は、１番目のフレーム期間における各種信号波形を示す図である。また、図１３は、２番目のフレーム期間における各種信号波形を示す図である。また、図１４は、３番目のフレーム期間における各種信号波形を示す図である。また、図１５は、４番目のフレーム期間における各種信号波形を示す図である。
【０１００】
実施形態３の表示装置１は、走査信号線Ｇｂの走査回数を、走査信号線Ｇｒおよび走査信号線Ｇｇの走査回数の１／２としている点では、実施形態１の表示装置１と同様に動作する。具体的には、図１２，１４に示すように、偶数フレーム期間においては、走査線駆動回路４は、走査信号線Ｇｒ、走査信号線Ｇｇ、および走査信号線Ｇｂのいずれに対しても走査を行う。一方、図１３，１５に示すように、奇数フレーム期間においては、走査線駆動回路４は、走査信号線Ｇｒおよび走査信号線Ｇｇに対しては、偶数フレーム期間と同様に走査を行うが、走査信号線Ｇｂに対しては走査を行わない。すなわち、走査信号線Ｇｂに対しては走査を行わない非走査期間を設けている。
【０１０１】
ここで、実施形態３に係る表示装置１は、上記したとおり、２フレーム期間ごとに非走査期間が設けられた走査信号線Ｇｂについては、非走査期間が設けられた奇数フレーム期間を除き（すなわち、偶数フレーム期間にのみ着目すると）、走査信号線Ｇ３上の各画素電極に印加する電圧の極性を、１フレーム期間毎に反転させている。
【０１０２】
例えば、図１２〜１５において、３本目の走査信号線Ｇ（３）に着目すると、図１２に示すとおり、第１の偶数フレーム期間においては、走査信号線Ｇ（３）上の各画素電極には、正極の電圧が印加される。一方、図１４に示すとおり、第２の偶数フレーム期間においては、走査信号線Ｇ（３）上の各画素電極には、負極の電圧が印加される。
【０１０３】
以降、奇数フレーム期間を除けば、上記した第１の偶数フレーム期間および第２の偶数フレーム期間が繰り返されるわけだから、走査信号線Ｇ３上の各画素電極には、正極の電圧の印加された状態と、負極の電圧の印加された状態とを繰り返すこととなる。すなわち、走査信号線Ｇ（３）上の各画素電極に印加される電圧が、常に一定の電圧になってしまうようなことがない。
【０１０４】
また、図１２〜１５において、６本目の走査信号線Ｇ（６）に着目すると、図１２に示すとおり、第１の偶数フレーム期間においては、走査信号線Ｇ（６）上の各画素電極には、負極の電圧が印加される。一方、図１４に示すとおり、第２の偶数フレーム期間においては、走査信号線Ｇ（６）上の各画素電極には、正極の電圧が印加される。
【０１０５】
以降、奇数フレーム期間を除けば、上記した第１の偶数フレーム期間および第２の偶数フレーム期間が繰り返されるわけだから、走査信号線Ｇ（６）上の各画素電極には、負極の電圧の印加された状態と、正極の電圧の印加された状態とを繰り返すこととなる。すなわち、走査信号線Ｇ（６）上の各画素電極に印加される電圧が、常に一定の電圧になってしまうようなことがない。
【０１０６】
なお、上記各非走査期間において、ゲート出力制御信号ＧＯＥをＨｉｇｈレベルに固定したまま、タイミングコントローラ１０から走査線駆動回路４へ入力することにより、走査線駆動回路４が走査を行わないように制御している点は、実施形態１の表示装置１と同様である。また、上記各非走査期間において、信号線駆動回路６を停止または低能力化する点も、実施形態１の表示装置１と同様である。
【０１０７】
（作用効果）
以上のように、実施形態３の表示装置１は、２フレーム期間毎に非走査期間が設けられた走査信号線Ｇｒに対しては、非走査期間が設けられたフレーム期間を除き、１フレーム期間毎に極性反転させながら駆動する構成を採用した。これにより、実施形態３の表示装置１によれば、走査信号線Ｇｒ上の各画素電極に印加される電圧が、常に一定の電圧になってしまうようなことがないため、焼き付き等の不具合の発生を防止することができる。
【０１０８】
なお、実施形態３の表示装置１は、上記以外の点については、実施形態１の表示装置１と同様である。このため、実施形態３の表示装置１によっても、実施形態１の表示装置１と同様の効果を奏することができる。
【０１０９】
（実施形態４）
次に、本発明の実施形態４について説明する。実施形態１〜３では、画面の全領域に対して、特定色の走査信号線Ｇの走査信号線の走査回数を減らすこととした。これに限らず、画面の一部の領域に対して、特定色の走査信号線Ｇの走査信号線の走査回数を減らすようにしても良い。
【０１１０】
実施形態４の表示装置１において、表示パネル２は、画面を上下半分ずつに２分割し、その上方の領域を動画表示領域とし、下方の領域を静止画表示領域としている。このうち、静止画表示領域については、より低電力化を優先するため、特定色の走査信号線Ｇの走査信号線の走査回数を減らす。一方、動画表示領域については、より高画質を優先するため、特定色の走査信号線Ｇの走査信号線の走査回数を減らさない。
【０１１１】
（表示装置１による表示動作）
図１６，１７は、実施形態４に係る表示装置１による表示動作を行う際に用いられる各種信号波形を示す図である。このうち、図１６は、偶数フレーム期間における各種信号波形を示す図である。また、図１７は、奇数フレーム期間における各種信号波形を示す図である。
【０１１２】
実施形態４の表示装置１は、静止画表示領域に対しては、走査信号線Ｇｂの走査回数を、走査信号線Ｇｒおよび走査信号線Ｇｇの走査回数の１／２としている点で、実施形態１の表示装置１と同様に動作する。具体的には、図１６に示すように、偶数フレーム期間においては、走査線駆動回路４は、走査信号線Ｇｒ、走査信号線Ｇｇ、および走査信号線Ｇｂのいずれに対しても走査を行う。一方、図１７に示すように、奇数フレーム期間においては、走査線駆動回路４は、走査信号線Ｇｒおよび走査信号線Ｇｇに対しては、偶数フレーム期間と同様に走査を行うが、走査信号線Ｇｂに対しては走査を行わない。すなわち、走査信号線Ｇｂに対しては走査を行わない非走査期間を設けている。
【０１１３】
一方、実施形態４の表示装置１は、動画表示領域に対しては、走査信号線Ｇｂの走査回数を減らさない点で、実施形態１の表示装置１と異なる動作を行う。具体的には、図１６に示すように、偶数フレーム期間においては、走査線駆動回路４は、走査信号線Ｇｒ、走査信号線Ｇｇ、および走査信号線Ｇｂのいずれに対しても走査を行う。一方、図１７に示すように、奇数フレーム期間においても、走査線駆動回路４は、走査信号線Ｇｒ、走査信号線Ｇｇ、および走査信号線Ｇｂのいずれに対しても走査を行う。
【０１１４】
なお、上記各非走査期間において、ゲート出力制御信号ＧＯＥをＨｉｇｈレベルに固定したまま、タイミングコントローラ１０から走査線駆動回路４へ入力することにより、走査線駆動回路４が走査を行わないように制御している点は、実施形態１の表示装置１と同様である。また、上記各非走査期間において、信号線駆動回路６を停止または低能力化する点も、実施形態１の表示装置１と同様である。
【０１１５】
（消費電力の軽減効果）
ここで、実施形態４の表示装置１による消費電力の軽減効果について説明する。ここでは、実施形態１と同様に、表示装置１の解像度が１３６６×７６８である場合について説明する。
【０１１６】
まず、図２で説明したように、表示装置１に従来の表示動作を行わせた場合の消費電力について説明する。この場合、実施形態１で説明したとおり、信号線駆動回路６の消費電力は、約８８ｍＷであり、走査線駆動回路４の消費電力は、約８．１ｍＷである。
【０１１７】
次に、図１６，１７で説明したように、表示装置１に本発明の実施形態４に係る表示動作を行わせた場合の消費電力について説明する。
【０１１８】
既に説明したとおり、実施形態４の表示装置１は、画面の１／２を占める静止画表示領域に対しては、全フレーム期間の１／２のフレーム期間のうち、全水平走査期間の１／３を占める、走査信号線Ｇｂの非走査期間においては、走査線駆動回路４および信号線駆動回路６を非動作状態としている。
【０１１９】
このため、信号線駆動回路６の消費電力は、８８ｍＷ×１／２×１／３×１／２＝約７．３ｍＷ軽減される。すなわち、信号線駆動回路６の消費電力は、８８ｍＷ−７．３ｍＷ＝８０．７ｍＷとなる。これにより、実施形態の表示装置１は、信号線駆動回路６の消費電力として、約８．３％の消費電力の軽減効果をもたらすことになる。
【０１２０】
同様に、走査線駆動回路４の消費電力は、８．１ｍＷ×１／２×１／３×１／２＝約０．７ｍＷ軽減される。すなわち、走査線駆動回路４の消費電力は、８．１ｍＷ−０．７ｍＷ＝７．４ｍＷとなる。これにより、実施形態の表示装置１は、走査線駆動回路４の消費電力として、約８．３％の消費電力の軽減効果をもたらすことになる。
【０１２１】
以上のように、実施形態４の表示装置１は、静止画表示領域に対しては、走査信号線Ｇｂの走査回数を減らし、動画表示領域に対しては、走査信号線Ｇｂの走査回数を減らさないこととした。これにより、静止画表示領域については、動画の高品位を保持しつつ、消費電力を低減することができる。また、動画表示領域については、動画をより高品位のものとすることができる。
【０１２２】
この実施形態４のように、より高画質を優先したい表示領域が有る場合は、その領域に対し、特定の走査信号線の走査回数を減らす構成を採用しても良い。この場合、特定の走査信号線の走査回数を減らす領域は、動画表示領域に限定されるものではない。また、特定の走査信号線の走査回数を減らす領域は、画面上部に限定されるものではない。
【０１２３】
（実施形態５）
次に、本発明の実施形態５について説明する。実施形態１〜４では、表示パネル２として、横ストライプ配列が採用されたもの（すなわち、１画素行に１つの表示色が配置されたもの）を用いて説明したが、これに限らない。例えば、表示パネル２として、１画素行に複数の表示色が配置されたものを採用しても良い。そこで、実施形態５では、表示パネル２として、１画素行に複数の表示色が配置されたものを採用する例を説明する。
【０１２４】
（表示パネル２の画素表示色の配列）
図１８は、表示装置１が備える表示パネル２の画素表示色の配列を示す図である。図１８（ａ）は、実施形態１〜４の表示装置１が備える表示パネル２の画素表示色の配列を示す図である。図１８（ｂ）は、実施形態５の表示装置１が備える表示パネル２の画素表示色の配列を示す図である。
【０１２５】
図１８（ａ）に示すように、実施形態１〜４の表示装置１が備える表示パネル２において、各画素行には、特定の１つの表示色の画素が、直線状に並べて設けられている。具体的は、１番目の画素行Ｇ（１）は、赤色を表示色とする画素（Ｒ）が、直線状に並べて設けられている画素行（以下、「画素行Ｇｒ」と示す。）である。この画素行Ｇｒの各画素には、走査信号線Ｇｒが接続されている。また、２番目の画素行Ｇ（２）は、緑色を表示色とする画素（Ｇ）が、直線状に並べて設けられている画素行（以下、「画素行Ｇｇ」と示す。）である。この画素行Ｇｇの各画素には、走査信号線Ｇｇが接続されている。また、３番目の画素行Ｇ（３）は、青色を表示色とする画素（Ｂ）が、直線状に並べて設けられている画素行（以下、「画素行Ｇｂ」と示す。）である。この画素行Ｇｂの各画素には、走査信号線Ｇｂが接続されている。以降、表示パネル２上には、画素行Ｇｒ、画素行Ｇｇ、画素行Ｇｂの順に繰り返し、複数の画素行が設けられている。
【０１２６】
一方、図１８（ｂ）に示すように、実施形態５の表示装置１が備える表示パネル２において、各画素行には、特定の２つの表示色の画素が、直線状に並べて設けられている。具体的は、１番目の画素行Ｇ（１）は、赤色を表示色とする画素（Ｒ）と、青色を表示色とする画素（Ｂ）とが、直線状に交互に並べて設けられている画素行（以下、「画素行Ｇｒｂ」と示す。）である。この画素行Ｇｒｂの各画素には、走査信号線Ｇｒｂが接続されている。また、２番目の画素行Ｇ（２）は、緑色を表示色とする画素（Ｇ）と、白色を表示色とする画素（Ｗ）とが、直線状に交互に並べて設けられている画素行（以下、「画素行Ｇｗｇ」と示す。）である。この画素行Ｇｗｇの各画素には、走査信号線Ｇｗｇが接続されている。以降、表示パネル２上には、画素行Ｇｒｂ、画素行Ｇｗｇの順に繰り返し、複数の画素行が設けられている。
【０１２７】
（表示装置１による表示動作）
ここで、実施形態５に係る表示装置１による表示動作について説明する。図１９および図２０は、実施形態５に係る表示装置１による表示動作を行う際に用いられる各種信号波形を示す図である。このうち、図１９は、偶数フレーム期間における各種信号波形を示す図である。一方、図２０は、奇数フレーム期間における各種信号波形を示す図である。
【０１２８】
実施形態５の表示装置１は、特定の色の走査信号線については、他の色の走査信号線よりも走査回数を少なくする点で、実施形態１の表示装置１と同様である。しかしながら、図１８に示したとおり、実施形態５の表示装置１は、表示パネル２の画素表示色の配列が実施形態１の表示装置１と異なる。このため、実施形態５の表示装置１は、これに応じて、走査回数を少なくする走査信号線を、実施形態１の表示装置１と異ならせている。具体的には、実施形態５では、画素行Ｇｒｂを駆動するための走査信号線Ｇｒｂについては、画素行Ｇｗｇを駆動するための走査信号線Ｇｗｇよりも、走査回数を少なくしている。
【０１２９】
例えば、図１９に示すように、偶数フレーム期間においては、走査線駆動回路４は、走査信号線Ｇｒｂ、および走査信号線Ｇｗｇのいずれに対しても走査を行う。一方、図２０に示すように、奇数フレーム期間においては、走査線駆動回路４は、走査信号線Ｇｗｇに対しては偶数フレームと同様に走査を行うが、走査信号線Ｇｒｂに対しては走査を行わない。すなわち、走査信号線Ｇｒｂに対しては走査を行わない非走査期間を設けている。これにより、実施形態５の表示装置１は、走査信号線Ｇｒｂの走査回数を、走査信号線Ｇｗｇの走査回数の１／２としているのである。実施形態５の表示装置１は、走査信号線Ｇｗｇのリフレッシュレートを６０Ｈｚとしているので、走査信号線Ｇｒｂのリフレッシュレートは３０Ｈｚとなる。
【０１３０】
なお、上記各非走査期間において、ゲート出力制御信号ＧＯＥをＨｉｇｈレベルに固定したまま、タイミングコントローラ１０から走査線駆動回路４へ入力することにより、走査線駆動回路４が走査を行わないように制御している点は、実施形態１の表示装置１と同様である。また、上記各非走査期間において、信号線駆動回路６を停止または低能力化する点も、実施形態１の表示装置１と同様である。
【０１３１】
（消費電力の軽減効果）
ここで、実施形態５の表示装置１による消費電力の軽減効果について説明する。ここでは、実施形態１と同様に、表示装置１の解像度が１３６６×７６８である場合について説明する。
【０１３２】
まず、図２で説明したように、表示装置１に従来の表示動作を行わせた場合の消費電力について説明する。この場合、実施形態１で説明したとおり、信号線駆動回路６の消費電力は、約８８ｍＷであり、走査線駆動回路４の消費電力は、約８．１ｍＷである。
【０１３３】
次に、図１９，２０で説明したように、表示装置１に本発明の実施形態５に係る表示動作を行わせた場合の消費電力について説明する。
【０１３４】
既に説明したとおり、実施形態２の表示装置１は、全フレーム期間の１／２のフレーム期間のうち、全水平走査期間の１／２を占める、走査信号線Ｇｒｂの非走査期間においては、走査線駆動回路４および信号線駆動回路６を非動作状態としている。
【０１３５】
このため、信号線駆動回路６の消費電力は、８８ｍＷ×１／２×１／２＝２２ｍＷ軽減される。すなわち、信号線駆動回路６の消費電力は、８８ｍＷ−２２ｍＷ＝６６ｍＷとなる。これにより、実施形態の表示装置１は、信号線駆動回路６の消費電力として、２５％の消費電力の軽減効果をもたらすことになる。
【０１３６】
同様に、走査線駆動回路４の消費電力は、８．１ｍＷ×１／２×１／２＝約２．１ｍＷ軽減される。すなわち、走査線駆動回路４の消費電力は、８．１ｍＷ−２．１ｍＷ＝６．０ｍＷとなる。これにより、実施形態の表示装置１は、走査線駆動回路４の消費電力として、約２６％の消費電力の軽減効果をもたらすことになる。
【０１３７】
（作用効果）
以上のように、実施形態５の表示装置１は、複数の走査信号線Ｇのうちの、ある特定の複数色の表示用の走査信号線の走査回数を、他の色の表示用の走査信号線よりも少なくする構成を採用している。これにより、実施形態５の表示装置１は、上記構成を採用しない従来の表示装置に比べ、上記したように、消費電力を低減することができる。また、全ての走査信号線の走査回数を少なくする構成を採用した従来の表示装置に比べ、画面上におけるフリッカ（ちらつき）が生じにくいうえ、動画を滑らかに表示することができる。すなわち、実施形態５の表示装置１は、動画の高品位を保持しつつ、消費電力を低減することができるのである。
【０１３８】
特に、実施形態５の表示装置１は、赤色（Ｒ）、緑色（Ｇ）、青色（Ｂ）、白色（Ｗ）のうちの輝度比率がより少ない青色および赤色の表示用の走査信号線Ｇｒｂの走査回数を少なくする構成を採用している。これにより、実施形態５の表示装置１は、青色および赤色以外の色の表示用の走査信号線の走査回数を少なくする構成を採用した表示装置に比べ、輝度変化が少ないため、画面上におけるフリッカ（ちらつき）が生じにくい。また、走査回数を少なくしたことによって動画に生じるぎこちない動作や、視聴者に感じさせにくくすることができる。すなわち、実施形態５の表示装置１は、動画の高品位を保持しつつ、消費電力を低減することができるのである。
【０１３９】
（変形例）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４０】
すなわち、本発明の表示装置は、少なくとも、何らかの構成要素によって、「複数の走査信号線のうちの、ある特定色の表示用の走査信号線の走査回数を、他の色の表示用の走査信号線よりも少なくする」という機能を実現することができるものであれば、各実施形態で説明したものに限らず、実施形態で説明した表示装置の構成や、表示装置による表示動作等に多様な変更を加えて実施するようにしても良い。
【０１４１】
（変形例１：走査回数を減らす対象の走査信号線）
実施形態１，３，４では、青色の画素を駆動する走査信号線の走査回数を減らすこととしたが、他の色の画素を駆動する走査信号線の走査回数を減らすようにしてもよい。例えば、実施形態１，３，４のいずれかにおいて、赤色または緑色の画素を駆動する走査信号線の走査回数を減らすようにしてもよい。
【０１４２】
実施形態２では、青色の画素を駆動する走査信号線、および赤色の画素を駆動する走査信号線の走査回数を減らすこととしたが、他の色の画素を駆動する走査信号線の走査回数を減らすようにしてもよい。例えば、実施形態２において、青色の画素を駆動する走査信号線、および緑色の画素を駆動する走査信号線の走査回数を減らすこととしても良く、赤色の画素を駆動する走査信号線、および緑色の画素を駆動する走査信号線の走査回数を減らすこととしても良い。
【０１４３】
実施形態５では、青色および赤色の画素を駆動する走査信号線の走査回数を減らすこととしたが、その他の色の画素を駆動する走査信号線の走査回数を減らすようにしてもよい。例えば、実施形態５において、白色および緑色の画素を駆動する走査信号線の走査回数を減らすようにしてもよい。
【０１４４】
実施形態１〜３，５では、ある色の画素を駆動する複数の走査信号線のうちの全ての走査信号線の操作回数を減らすこととしたが、ある色の画素を駆動する複数の走査信号線のうちの一部の走査信号線の操作回数を減らすこととしても良い。例えば、実施形態１では、青色の画素を駆動する複数の走査信号線Ｇｂのうちの全ての走査信号線Ｇｂの操作回数を減らすこととしたが、一部の走査信号線Ｇｂの操作回数を減らすこととしても良い。
【０１４５】
実施形態４では、画面の一部の領域に対して、ある色の画素を駆動する複数の走査信号線のうちの全ての走査信号線の操作回数を減らすこととしたが、画面の一部の領域に対して、ある色の画素を駆動する複数の走査信号線のうちの一部の走査信号線の操作回数を減らすこととしても良い。例えば、実施形態４では、静止画表示領域に対しては、青色の画素を駆動する複数の走査信号線Ｇｂのうちの全ての走査信号線Ｇｂの操作回数を減らすこととしたが、一部の走査信号線Ｇｂの操作回数を減らすこととしても良い。
【０１４６】
いずれの場合でも、少なくとも走査線駆動回路４の動作量を減らすことが出きるため、低電力化という目的を達成することができる。また、全ての色の走査回数を減らしているわけではないので、全ての色の走査回数を減らす構成とするよりは、動画の表示品位を維持することができる。
【０１４７】
なお、上記以外にも、表示パネルの画素表示色の配列は様々である。この場合、表示パネルの画素表示色の配列に応じて、適切な色の画素を駆動する走査信号線の走査回数を減らすようにすれば良い。
【０１４８】
（変形例２：信号線駆動回路の能力低下）
実施形態１〜５では、非走査期間では、信号線駆動回路６を非動作状態とした。これに限らず、信号線駆動回路６を動作状態としても良い。この場合でも、少なくとも走査線駆動回路４の動作量を減らすことができるため、低電力化という目的を達成することができる。なお、信号線駆動回路６を動作状態とした場合、好ましくは、少なくとも信号線駆動回路６の能力を低減すればよい。これにより、より低電力化することができる。
【０１４９】
なお、各実施形態では、非走査期間においては、信号線駆動回路６内の全てのアナログアンプを非動作状態とすることとしたが、少なくとも１つを非動作状態とすれば良い。この場合でも、少なからず消費電力を削減できる効果が得られる。
【０１５０】
また、非走査期間において、非動作状態の対象とするのは、アナログアンプに限られない。すなわち、アナログアンプを含む、定常電流が流れる何らかの回路群（素子群）の能力を低下させてもよい。このような回路群の例として、例えば、階調毎の電圧を決定するＤＡＣ（Digital-Analogue-Converter）回路部、Ｖｄｄ生成回路部等が挙げられる。
【０１５１】
（まとめ）
以上のように、本発明に係る表示装置は、複数の走査信号線および複数のデータ信号線を有する表示パネルと、前記複数の走査信号線を順次選択して走査する走査線駆動回路と、選択された走査信号線上の各画素に対し、前記複数のデータ信号線からデータ信号を供給する信号線駆動回路とを備え、全ての前記走査信号線のうちの、ある特定色の表示用の複数の走査信号線のうちの少なくともいずれかである第１の走査信号線の単位時間あたりの走査回数を、他の色の表示用の走査信号線よりも少なくしたことを特徴とする。
【０１５２】
この構成によれば、走査線駆動回路の動作回数を減らすことができるので、走査線駆動回路の消費電流を減らすことができる。また、全ての走査信号線の走査回数を少なくしているのではなく、ある特定色の表示用の走査信号線の走査回数を少なくする構成を採用しているので、画面上におけるフリッカ（ちらつき）が生じにくいうえ、動画を滑らかに表示することができる。すなわち、動画の高品位を保持しつつ、消費電力を低減することができるのである。
【０１５３】
なお、本発明に係る表示装置では、前記第１の走査信号線は、青色の表示用の画素が直線状に並べて設けられた画素行を駆動するための走査信号線であることが好ましい。
【０１５４】
この構成によれば、輝度比率がより少ない青色の表示用の走査信号線の走査回数を少なくするので、走査回数を少なくしたことによる輝度変化が少なく、画面上におけるフリッカ（ちらつき）が生じにくい。また、走査回数を少なくしたことによって動画に生じるぎこちない動作や、視聴者に感じさせにくくすることができる。すなわち、動画の高品位を保持しつつ、消費電力を低減することができるのである。
【０１５５】
また、本発明に係る表示装置では、前記第１の走査信号線は、青色の表示用の画素および赤色の表示用の画素が直線状に並べて設けられた画素行を駆動するための走査信号線であることが好ましい。
【０１５６】
この構成によれば、輝度比率がより少ない青色および赤色の表示用の走査信号線の走査回数を少なくするので、走査回数を少なくしたことによる輝度変化が少なく、画面上におけるフリッカ（ちらつき）が生じにくい。また、走査回数を少なくしたことによって動画に生じるぎこちない動作や、視聴者に感じさせにくくすることができる。すなわち、動画の高品位を保持しつつ、消費電力を低減することができるのである。
【０１５７】
また、本発明に係る表示装置では、前記他の色の表示用の走査信号線の走査を行い、かつ前記第１の走査信号線の走査を行わないフレーム期間を設けたことにより、前記第１の走査信号線の走査回数を、前記他の色の表示用の走査信号線よりも少なくすることが好ましい。
【０１５８】
この構成によれば、走査回数を減らす走査信号線を走査するための制御信号の波形を、走査回数を減らさない走査信号線を走査するための制御信号と異ならせるだけ、といった簡易な構成で、走査信号線の走査回数を少なくする構成を実現することができる。例えば、走査回数を減らす走査信号線の１フレーム期間を、走査回数を減らさない走査信号線の１フレーム期間と異ならせる、等の他の構成を採用するよりも、低コストで、走査信号線の走査回数を少なくする構成を実現することができる。
【０１５９】
また、本発明に係る表示装置では、前記第１の走査信号線に対しては、走査を行わないフレーム期間を除き、所定数のフレーム期間毎に極性反転させながら駆動することが好ましい。
【０１６０】
この構成によれば、走査回数を減らす走査信号線上の各画素電極に印加される電圧が、常に一定の電極の電圧になってしまうことを防止することができる。これにより、焼き付き等の不具合の発生を防止することができる。
【０１６１】
また、本発明に係る表示装置では、前記第１の走査信号線の走査を行わない水平走査期間においては、前記信号線駆動回路の能力を低下させることが好ましい。
【０１６２】
この構成によれば、動画の品位への影響を生じさせることなく、より多くの消費電力を低減することができる。
【０１６３】
また、本発明に係る表示装置では、全ての前記他の色の表示用の走査信号線のうち、ある特定色の表示用の複数の走査信号線のうちの少なくともいずれかである第２の走査信号線の単位時間あたりの走査回数を、さらなる他の色の表示用の走査信号線よりも少なくすることが好ましい。
【０１６４】
この構成によれば、走査線駆動回路の動作回数をさらに減らすことができるので、走査線駆動回路の消費電流をさらに減らすことができる。また、全ての走査信号線の走査回数を少なくしているのではなく、ある特定色の表示用の走査信号線の走査回数を少なくする構成を採用しているので、画面上におけるフリッカ（ちらつき）が生じにくいうえ、動画を滑らかに表示することができる。すなわち、動画の高品位を保持しつつ、消費電力を低減することができるのである。
【０１６５】
また、本発明に係る表示装置では、前記表示パネルは、複数の表示領域を有し、当該表示装置は、前記複数の表示領域のうちの一部の表示領域において、前記第１の走査信号線の単位時間あたりの走査回数を、前記他の色の表示用の走査信号線よりも少なくすることが好ましい。
【０１６６】
この構成によれば、表示領域毎に、走査信号線の走査回数を減らさずにより高画質を優先するか、もしくは走査信号線の走査回数を減らしてより低消費電力化を優先するかを設定することができる。すなわち、高画質と低消費電力化を高バランスで実現することができる。
【０１６７】
また、本発明に係る駆動方法は、複数の走査信号線および複数のデータ信号線を有する表示パネルと、前記複数の走査信号線を順次選択して走査する走査線駆動回路と、選択された走査信号線上の各画素に対し、前記複数のデータ信号線からデータ信号を供給する信号線駆動回路とを備えた表示装置の駆動方法であって、全ての前記走査信号線のうちの、ある特定色の表示用の複数の走査信号線のうちの少なくともいずれかである第１の走査信号線の単位時間あたりの走査回数を、他の色の表示用の走査信号線よりも少なくしたことを特徴とする。
【０１６８】
この構成によれば、走査線駆動回路の動作回数を減らすことができるので、走査線駆動回路の消費電流を減らすことができる。また、全ての走査信号線の走査回数を少なくしているのではなく、ある特定色の表示用の走査信号線の走査回数を少なくする構成を採用しているので、画面上におけるフリッカ（ちらつき）が生じにくいうえ、動画を滑らかに表示することができる。すなわち、動画の高品位を保持しつつ、消費電力を低減することができるのである。
【産業上の利用可能性】
【０１６９】
本発明に係る表示装置は、液晶表示装置、有機ＥＬ表示装置、および電子ペーパーなどの各種の表示装置として広く利用できる。
【符号の説明】
【０１７０】
１        表示装置
２        表示パネル
４        走査線駆動回路
６        信号線駆動回路
８        共通電極駆動回路
１０      タイミングコントローラ
【図１】
2012108361.tif 000003
【図２】
2012108361.tif 000004
【図３】
2012108361.tif 000005
【図４】
2012108361.tif 000006
【図５】
2012108361.tif 000007
【図６】
2012108361.tif 000008
【図７】
2012108361.tif 000009
【図８】
2012108361.tif 000010
【図９】
2012108361.tif 000011
【図１０】
2012108361.tif 000012
【図１１】
2012108361.tif 000013
【図１２】
2012108361.tif 000014
【図１３】
2012108361.tif 000015
【図１４】
2012108361.tif 000016
【図１５】
2012108361.tif 000017
【図１６】
2012108361.tif 000018
【図１７】
2012108361.tif 000019
【図１８】
2012108361.tif 000020
【図１９】
2012108361.tif 000021
【図２０】
2012108361.tif 000022
【国際調査報告】
2012108361.tif 000023
2012108361.tif 000024
2012108361.tif 000025
2012108361.tif 000026